(57)【特許請求の範囲】
【請求項１】
携帯形筐体(1) の頭部(5) を開閉するためにこの頭部近傍に回転可能に一端を開口した筒状のカバー(2) を連結し、
前記カバー(2) の開口端近傍に前記携帯形筐体(1) に係合するツメ(2A)を設け、
前記ツメ(2A)の近傍に弾性を有する円弧形状のリブ(2B)を前記カバー(2) の相対向する内壁面間を連結するように形成してなることを特徴とする携帯形筐体用カバー。
【請求項２】
請求項１記載の携帯形筐体用カバーにおいて、
前記携帯形筐体(1) は、前記ツメ(2A)を係脱するための凹部(1A)を有することを特徴とする携帯形筐体用カバー。
【発明の詳細な説明】
【０００１】
【発明の属する技術分野】
この発明は，たとえば、光測定器等の携帯形筐体用カバーに関し、特に、片手に収まる程度の携帯形筐体の頭部に開閉可能に搭載する携帯形筐体用カバーに関するものである。
【０００２】
【従来の技術】
次に、従来の光測定器用のカバーの構成を図３、図４により説明する。図３において、携帯用光測定器の本体となる直方体状の携帯形筐体１の一端部を開口した頭部には、一端を開口した筒状のカバー２を図４のカバー２の取り付け部位の拡大断面図に示すヒンジ部６を支点として回動させることにより、開閉可能に取り付けられている。携帯形筐体１の上面には液晶等による被測定対象の測定値等を表示するための表示部１Ｂが配設されており、表示部１Ｂに隣接して、操作キー１Ｃが配置されている。携帯形筐体１の内部には、図示されていないが、コネクタが配置されている。
【０００３】
図３の光測定器は、例えば、光源または光パワーメータのユニット３、４と接続する光マルチメータであって、前記光マルチメータの出射光を遮断するため、または図示しないコネクタの防塵、防損などの目的で光測定器の携帯形筐体１の開口した頭部にユニット３、４を着脱するときには、カバー２はヒンジ部６を介して回動させて頻繁に開閉される。図４において、カバー２の開口端部の上部には、ツメ２Ａが形成される。
【０００４】
一方、携帯形筐体１の頭部の上部には、ツメ２Ａが係合する凹部１Ａが設けられている。カバー２は合成樹脂材によるヒンジ部６を支点として回動することにより開閉可能なように携帯形筐体１と一体に成形されており、カバー２を携帯形筐体１の頭部から開く場合には、図４に示されるように、カバー２のツメ２Ａの近傍を内側に押してカバー２を変形させ、ツメ２Ａが凹部１Ａとの係合を解除させながらヒンジ部６を回動させることにより、カバー２が携帯形筐体１から開くようにしている。
【０００５】
また、カバー２を携帯形筐体１の頭部に被せる場合は、ヒンジ部６でカバー２を回動させると、ツメ２Ａが凹部１Ａに係合する。
【０００６】
このようにして、携帯形筐体１の頭部に対して、カバー２を開く場合には、その都度、カバー２を押して変形させるようにして、カバー２のツメ２Ａを携帯形筐体１の凹部１Ａに着脱している。
【０００７】
【発明が解決しようとする課題】
このように、従来の光測定器用のカバー２は頻繁に上部を押しながら携帯形筐体１の頭部に対して、開閉するので、カバー２を押さえる個所が次第に撓み、ツメ２Ａが携帯形筐体１の凹部１Ａに引っかからなくなるという課題がある。
【０００８】
【課題を解決するための手段】
この課題を解決するために、この発明の携帯形筐体用カバーは、携帯形筐体１の頭部５を開閉するためにこの頭部近傍に回転可能に一端を開口した筒状のカバー２を連結し、前記カバー２の開口端近傍に前記携帯形筐体１に係合するツメ２Ａを設け、前記ツメ２Ａの近傍に弾性を有する円弧形状のリブ２Ｂを前記カバー２の相対向する内壁面間を連結するように形成してなることを特徴とする。
【０００９】
【発明の実施の形態】
この発明の携帯形筐体用カバーによれば、携帯形筐体１の頭部からカバー２を開く場合には、カバー２のツメ２Ａの近傍において、外面から内側に押圧することにより、円弧形状のリブ２Ｂが一定方向に弓なりに変形して、カバ２ーのツメ２Ａが携帯形筐体１との解除を容易にする。そのまま、カバー２への押圧力を解除することにより、リブ２Ｂの弾力により、カバー２の変形が元の形状に復元し、ツメ２Ａが携帯形筐体１と係合して、カバー２が携帯形筐体１の頭部に取り付けられる。
【００１０】
また、カバー２を携帯形筐体１の頭部に取り付ける場合には、リブ２Ｂが弓なりに一定方向に変形し、ツメ２Ａを携帯形筐体１と係合し、リブ２Ｂの弾力によりカバー２が元の形状に復元して、カバー２を携帯形筐体１の頭部に閉じることができる。
【００１１】
次に、この発明の携帯形筐体用カバーの実施の形態について図面に基づき説明する。図１はこの発明の一実施の形態の構成を示す断面図であり、カバーを携帯形筐体の開口された頭部から開いた状態を示しており、図２はこの一実施の形態におけるカバーを内部より見た状態の断面図である。
【００１２】
この図１と図２において、図３、図４と同一部分には同一符号を付して説明する。この図１と図２に示す実施の形態においては、携帯形筐体として前記従来例と同様に、光測定器用の携帯形筐体に適用した場合で説明を進めることにする。
【００１３】
携帯形筐体１の開口した頭部５の近傍において、この携帯形筐体１の表面には、表示部１Ｂが配置されており、この表示部１Ｂに隣接して操作キー１Ｃが配置されている。これらの表示部１Ｂ、操作キー１Ｃは上記従来例と同様である。
【００１４】
また、携帯形筐体１の開口した頭部５の近傍に連結手段としてのヒンジ部６が形成されており、このヒンジ部６を介して一端部が開口した筒状のカバー２が連結されているが、これらの携帯形筐体１と、ヒンジ部６と、カバー２とが一体的に形成されており、しかも、ヒンジ部６を介してカバー２が回動可能になっている。したがって、カバー２は携帯形筐体１の開口した頭部５に対して、ヒンジ部６により携帯形筐体１から別体となることなく、開閉可能になっている。
【００１５】
カバー２の開口端近傍には、ツメ２Ａが形成されており、このツメ２Ａは携帯形筐体１の開口した頭部５近傍に形成された係止部としての凹部１Ａに着脱可能になっている。
【００１６】
さらに、カバー２の開口端近傍において、カバー２の相対向する内壁面２ａ・２ｂ間を連結するように、弧状に形成された弾力性を有するリブ２Ｂが形成されている。このリブ２Ｂはこの実施の形態における特徴をなす部分であり、上記図３、図４で示した従来例の構造上の唯一の相違点である。
【００１７】
次に、以上のように構成されたこの発明の一実施の形態の動作について説明する。まず、図１に示すように、カバー２が携帯形筐体１の頭部５から開いた状態から、頭部５にカバー２を被せる場合について説明する。
【００１８】
カバー２をヒンジ部６を支点にして図１の反時計方向に回動させ、携帯形筐体１の頭部５にカバー２を嵌め込み、カバー２のツメ２Ａを携帯形筐体１の凹部１Ａに係合させる。
【００１９】
リブ２Ｂの弾力によりリブ２Ｂの変形が解除されて元の形状に復元し、それに伴い、カバー２の変形がなくなり、カバー２も元の形状に戻り、その結果、図１の２点鎖線で示すように、カバー２を携帯形筐体１に取り付けられることになる。
【００２０】
次に、図１の２点鎖線で示すように、カバー２が携帯形筐体１の頭部５に取り付けられている状態からカバー２を頭部５から開く場合に付いて説明する。
【００２１】
この場合は、カバー２の外周面から相対向する内壁面２ａ・２ｂ方向に押圧することにより、カバー２を変形させると同時にリブ２Ｂが図２の右方向に湾曲され、ツメ２Ａが凹部１Ａから容易に離脱できる状態となる。
【００２２】
このまま、カバー２をヒンジ部６を支点として図１の時計方向に回動させることにより、ツメ２Ａが凹部１Ａから外れるとともに、カバー２が携帯形筐体１の頭部５から外され、図１の実線で示すように、カバー２が頭部５から外すことができる。
【００２３】
このように、この実施の形態においては、カバー２の１対の相対向する内壁面２ａ・２ｂ間を連結するようにして形成した円弧状のリブ２Ｂにより、カバー２の携帯形筐体１に対する開閉時に、カバー２の変形をいわば支援する機能を呈することになり、カバー２の押圧部位の弾力性の経時劣化による撓み現象を防止し、カバー２を頭部５へ閉じる時にツメ２Ａが凹部１Ａに係合しなくなるのを防止することができる。
【００２４】
なお、前記実施の形態においては、携帯形筐体１を光測定器用の筐体に適用した場合について例示したが、この発明はこの光測定器用の筐体のみに適用限定されるものではなく、広く一般の携帯形筐体に適用可能であることは言うまでもない。
【００２５】
【発明の効果】
以上のように、この発明の携帯形筐体用カバーによれば、携帯形筐体の頭部近傍に回動可能に一端を開口したカバーを取り付け、カバーの開口端近傍にツメを形成し、カバーの相対向する内壁面間を連結するように、弧状のリブを設けるように構成したので、カバーの携帯形筐体に対する開閉を頻繁に繰り返しても、カバーを押さえる個所の撓みを生じることを回避でき、ツメが携帯形筐体に係止されなくなるという課題を解消することができる。
【図面の簡単な説明】
【図１】この発明の携帯形筐体用カバーの一実施の形態の構成を示す一部切欠断面図である。
【図２】図１の携帯形筐体用カバーの内部より見た断面図である。
【図３】従来の光測定器用カバーの構成を示す斜視図である。
【図４】図３の光測定器用カバーの一部切欠断面図である。
【符号の説明】
１  携帯形筐体
１Ａ  凹部
２  カバー２
２Ａ  ツメ
２Ｂ  リブ
２ａ  内壁面
２ｂ  内壁面
５  頭部
６  ヒンジ部
【図１】
0003849125.tif 000002
【図２】
0003849125.tif 000003
【図３】
0003849125.tif 000004
【図４】
0003849125.tif 000005